(57)【要約】【課題】複数の使用者に統一性のある盛り上がり効果に繋がる照明装置を提供する。【解決手段】ベースと、前記ベースに取付けられている発光手段１３と、前記ベースに配置されている発振手段３と、発光信号を受信する第１の受信手段２１と、振動信号を受信する第２の受信手段４１と、第１の受信手段２１及び第２の受信手段４１が受信した信号に応じて、発光手段１３の発光状態及び発振手段３の発振状態を制御する制御手段２２、４２と、を備えている。【選択図】図２
0003211345.tif 000002
【実用新案登録請求の範囲】
【請求項１】
ベースと、
前記ベースに取付けられている発光手段と、
前記ベースに配置されている発振手段と、
発光信号を受信する第１の受信手段と、
振動信号を受信する第２の受信手段と、
前記第１の受信手段及び前記第２の受信手段が受信した信号に応じて、前記発光手段の発光状態及び前記発振手段の発振状態を制御する制御手段と、を備えていることを特徴とする照明装置。
【請求項２】
前記発振手段としては、振動モータが使用されていることを特徴とする請求項１に記載の照明装置。
【請求項３】
前記第２の受信手段としては、赤外線受信機が使用されていることを特徴とする請求項１または請求項２に記載の照明装置。
【請求項４】
前記第１の受信手段としては、赤外線受信機が使用されていることを特徴とする請求項１〜請求項３のいずれか一項に記載の照明装置。
【請求項５】
前記ベースに取付けられ、且つ、光が通過できる材料より前記発光手段を囲むように形成されたカバーを更に備えていることを特徴とする請求項１〜請求項４のいずれか一項に記載の照明装置。
【請求項６】
前記第１の受信手段、前記第２の受信手段、前記発光手段、及び前記発振手段のいずれとも電気的に接続して給電する電源手段と、
前記電源手段が前記第１の受信手段と前記第２の受信手段と前記発光手段と前記発振手段に対する給電のオンとオフを制御するスイッチ手段と、を更に備えていることを特徴とする請求項１〜請求項５のいずれか一項に記載の照明装置。
【考案の詳細な説明】
【技術分野】
【０００１】
本考案は照明装置に関し、特に演奏会などで使用される手持ち式の照明装置に関する。
【背景技術】
【０００２】
演奏会などで使用されるライトスティックと呼ばれる従来の照明装置は、例えば発光ダイオード（ＬＥＤ）が搭載され、単一または複数種類の色の光を発することができ、そして点滅機能を発揮できるものもある。
【０００３】
演奏会において、上記のような機能を備えている従来の照明装置は観客に配られ、演奏会の会場全体の気分を盛り上げることができる。
【考案の概要】
【考案が解決しようとする課題】
【０００４】
しかしながら、各使用者にそれぞれ配られたライトスティックは、各使用者の意思によって扱われるので、統一した盛り上がり効果に達するのが困難である。
【０００５】
上記問題点に鑑みて、本考案は、複数の使用者に統一性のある盛り上がり効果を発揮させることができる照明装置の提供を目的とする。
【課題を解決するための手段】
【０００６】
上記目的を達成すべく、本考案の照明装置は、ベースと、前記ベースに取付けられている発光手段と、前記ベースに配置されている発振手段と、発光信号を受信する第１の受信手段と、振動信号を受信する第２の受信手段と、前記第１の受信手段及び前記第２の受信手段が受信した信号に応じて、前記発光手段１の発光状態及び前記発振手段の発振状態を制御する制御手段と、を備えている。
【考案の効果】
【０００７】
上記構成によれば、本考案の照明装置は、前記発光手段の発光状態及び前記発振手段の発振状態は前記制御手段により受信した信号に応じて制御されるので、多数の使用者に配られる該照明装置は各使用者により自由に操作されることなく、発光信号や振動信号でまとめて制御することができ、統一性のある盛り上がり効果を発揮し易くなる。
【図面の簡単な説明】
【０００８】
【図１】本考案の照明装置とコントローラが示されている説明図である。
【図２】本考案の照明装置を構成する各部材及びコントローラの制御関係が示されている説明図である。
【考案を実施するための形態】
【０００９】
以下、図１と図２を参照しながら、本考案の照明装置を例示する実施形態について詳しく説明する。図１は本考案の照明装置と、該照明装置に対応するコントローラが示されている説明図である。そして、図２は本考案の照明装置を構成する各部材及びコントローラの制御関係が示されている説明図である。
【００１０】
図示のように、本考案の照明装置７は、手持ちすることができるような棒状に形成されているベース１１と、ベース１１に取り付けられている発光手段１３と、発光手段１３を囲むようにベース１１に取付けられているカバー１２と、発振手段３と、第１の受信手段２１及び第２の受信手段４１と、第１の制御手段２２及び第２の制御手段４２と、電源手段５並びに、スイッチ手段６と、を備えている。
【００１１】
ベース１１は、手持ちすることができる柄状のハンドル部１１２と、略鍔状に形成されてハンドル部１１２の一端と連接しているマウント部１１１と、を具えている。カバー１２は、光が通過できる透明なプラスチックなどの材料よりベース１１のマウント部１１１から延伸する略鞘状に形成されている。
【００１２】
本実施形態における発光手段１３としては、少なくとも１つ色の光を発せる発光ダイオードが使用されており、回路基板（図示せず）と電気的に接続してベース１１のマウント部１１１に設置されている。無論、発光手段１３としては、本実施形態に制限されず、電球や蛍光灯などに適宜変更することも可能である。
【００１３】
第１の受信手段２１は、ベース１１のマウント部１１１に取り付けられると共に、コントローラ９からの発光信号を受信することができる。第１の制御手段２２は、第１の受信手段２１と同梱にマウント部１１１に取り付けられ、そして第１の受信手段２１が受信した該発光信号に応じて発光手段１３の発光状態を制御し、単一色の発光、複数の色の一斉発光または順番に沿った発光、輝度変更、或いは点滅などの発光効果をもたらすことができる。
【００１４】
具体的には、本実施形態において、第１の受信手段２１としては、赤外線受信機が使用されている。
【００１５】
発振手段３は、ベース１１のハンドル部１１２の内部に配置され、振動を発することができる。そして、本実施形態における発振手段３としては、振動モータが使用されている。
【００１６】
第２の受信手段４１は、ベース１１のマウント部１１１に取り付けられていると共に、コントローラ９からの振動信号を受信することができる。一方、第２の制御手段４２は、第２の受信手段４１が受信した該振動信号に応じて発振手段３の発振状態を制御し、該振動信号に対応する強さの振動効果をもたらすことができる。
【００１７】
具体的には、本実施形態において、第２の受信手段４１としては、赤外線受信機が使用されている。なお、本実施形態において、第１の受信手段２１及び第２の受信手段４１と第１の制御手段２２及び第２の制御手段４２は、別々の電子部材としてベース１１に設置されているが、１枚のＩＣチップに統合することも可能である。
【００１８】
図２に示すように、電源手段５は、ベース１１の内部に設置されていると共に、発光手段１３と発振手段３と第１の受信手段２１及び第２の受信手段４１と第１の制御手段２２及び第２の制御手段４２のいずれとも電気的に接続して、発光手段１３と発振手段３と第１の受信手段２１及び第２の受信手段４１と第１の制御手段２２及び第２の制御手段４２とを機能させるように給電することができる。また、本実施形態における電源手段５としては、ベース１１の内部にて、蓋によって開閉可能の収容部（図示せず）に取り外し可能に設置される少なくとも１つの電池が使用されている。
【００１９】
スイッチ手段６は、ベース１１のハンドル部１１２から露出するようベース１１に可動的に取り付けられ、そして電源手段５が第１の受信手段２１と第２の受信手段４１と発光手段１３と発振手段３と第１の制御手段２２及び第２の制御手段４２とに対する給電のオン／オフを切り替えて制御できるよう、発光手段１３と発振手段３と第１の受信手段２１及び第２の受信手段４１と第１の制御手段２２及び第２の制御手段４２並びに電源手段５のいずれとも電気的に接続している。
【００２０】
すなわち、スイッチ手段６がオンの場合には、第１の制御手段２２及び第２の制御手段４２は第１、第２の受信手段２１、４１がコントローラ９から受信する発光信号または発振信号に基づいて発光手段１３及び発振手段３を制御することができる一方、スイッチ手段６がオフの場合に、電源手段５からの給電が遮断されることで、第１の受信手段２１、第２の受信手段４１、発光手段１３、及び発振手段３は作動しない。
【００２１】
上記の構成によれば、例えば演奏会において、複数の観客に配られる本考案の照明装置７を該演奏会の会場に設置されているコントローラ９から発信される発光信号や発振信号で制御することができ、全ての照明装置７の発光効果をまとめて制御することができる上、発振手段３による振動で各観客に合図を送ることもできるので、該会場全体に統一性のある盛り上がり効果に繋げられる。
【００２２】
ちなみに、各照明装置７にある第１の受信手段２１及び第２の受信手段４１の受信が良好になれるよう、該会場の各所に赤外線の信号増幅器（図示せず）を多数に設置することも可能である。
【００２３】
以上、本考案の好ましい実施形態を説明したが、本考案はこれに限定されるものではなく、その要旨を逸脱しない範囲で種々変更可能である。
【産業上の利用可能性】
【００２４】
上記構成によれば、本考案の照明装置７は、発光手段の発光状態及び発振手段の発振状態は制御手段により受信した信号に応じて制御されるので、多数の使用者に配られる照明装置は各使用者により自由に操作されることなく、発光信号や振動信号でまとめて制御することができ、統一性のある盛り上がり効果を発揮し易くなる。また、演奏会などの娯楽事業における盛り上がり効果に限らず、一種の通信、伝達手段として応用されることも可能である。
【符号の説明】
【００２５】
１１  ベース
１１１  マウント部
１１２  ハンドル部
１２  カバー
１３  発光手段
２１  第１の受信手段
２２  第１の制御手段
３  発振手段
４１  第２の受信手段
４２  第２の制御手段
５  電源手段
６  スイッチ手段
７  照明装置
９  コントローラ
【図１】
0003211345.tif 000003
【図２】
0003211345.tif 000004